(57)【要約】【課題】コネクタを繰り込み状態から繰り出し状態に移行させる際には係止を容易に掛け、該コネクタを繰り出し状態から繰り込み状態に移行させる際にも、該係止を容易に解除できる機構を有した外部機器に接続されるコネクタを有する機器を提供する。【解決手段】押釦を押すことのみによりコネクタ部を外部に露出させてコネクタを接続準備状態に固定し、この状態から再度の押釦の押圧のみで該固定作用を解除しつつコネクタを機器内の収納位置に位置させるラッチ機構を有する。【選択図】図４
2015046270.tif 000002
【特許請求の範囲】
【請求項１】
外部接続用コネクタを有する機器において、
押圧操作される操作釦と、
上記操作釦を有し機器本体となる筐体と、
上記操作釦が操作されることに連動して上記筐体中から繰出した接続準備位置と上記筐体中に繰込まれた収納位置とに移動可能なコネクタと、
上記コネクタと連結し、上記操作釦の操作を受けて、第１の回転軸に関し第１の円弧角を有する第１の円弧線を描いて往復揺動を行うレバー部材と、
上記第１の円弧角の円弧線に沿うように該円弧線の円弧角より小さい第２の円弧角で形成された案内部と、
上記レバー部材に掛けられ上記コネクタを上記収納位置へと付勢する付勢ばねと、
上記レバー部材の揺動先端に、上記第１の回転軸と平行に設けられた第２の回転軸の軸周りに回転可能に設けられた回転部材であって、該第２の回転軸を挟んで一対の端部を有し、該端部それぞれには該第２の回転軸に関し点対称に形成された第１の凹状被係止部と第２の凹状被係止部とからなる一対の凹状の被係止部と、該第２の回転軸に関し点対称に形成され該第１の凹状の被係止部の片側に形成された第１の当接部と該第１の当接部に対し該第２の回転軸に関し点対称に形成された該第２の凹状の被係止部の片側に形成された第２の当接部とからなる一対の当接部とを有し、上記コネクタを上記接続準備位置に位置させる上記第１の円弧角内の第２の位置と、上記コネクタを上記収納位置に位置させる上記第１の円弧角内の該第２の位置と離間した第１の位置とに上記案内部に沿って移動させられる回転係止部材と、
上記回転係止部材の上記第１の位置から上記第２の位置への方向の上記第２の位置から離間した上記第１の円弧線の延長上の位置に固定して設けられ、上記回転係止部材が上記第１の位置から上記第２の位置を超えて第３の位置へと移動したときに上記第１の当接部と当接し、上記回転係止部材に上記第２の回転軸周りの回転を一方向に与える第１の回転駆動当接部と、
上記回転係止部材の上記第１の所定量の回転の後の上記操作釦への押圧操作の解除に連動して上記回転係止部材を上記第２の位置にて保持するため上記第３の位置から上記第２の位置への移動により上記回転係止部材をさらに上記一方向へさらに回転をさせながら上記第２の凹状被係止部と係合する固定されて設けられた係合維持部と、
上記回転係止部材が上記第２の位置にて保持されている状態から上記操作釦が押圧操作されることに連動して上記第２の凹状被係止部と上記係合維持部との係合が解除され、上記回転係止部材が上記第２の位置から再び第１の回転駆動当接部の有る方向に移動させられたとき、第１の当接部と当接し、上記回転係止部材をさらに上記一方向に回転をさせて、上記回転係止部材が上記第１の回転駆動当接部と同時に当接する第２の回転駆動当接部と、
を具備し、上記回転係止部材が上記第１の回転駆動当接部と上記第２の回転駆動当接部とに同時に当接した状態から上記操作釦の押圧操作の解除に連動して上記回転係止部材と上記係合維持部とが当接して、上記回転係止部材をさらに上記一方向に回転させ、上記回転係止部材を上記案内部と摺接させることを特徴とする外部接続用コネクタを有する機器。
【発明の詳細な説明】
【技術分野】
【０００１】
この発明は外部接続用コネクタを有する機器に関する。
【背景技術】
【０００２】
従来、データを電気的に通信するため外部機器に接続するためのコネクタを有する機器がある。例えば、特開２００６−２０１６１号公報には、カメラ本体に格納可能なコネクタが開示され、該コネクタが該カメラから外部に繰出され、別の機器としての他のカメラにそのコネクタが接続される。
【先行技術文献】
【特許文献】
【０００３】
【特許文献１】特開２００６−２０１６１号公報
【発明の概要】
【発明が解決しようとする課題】
【０００４】
ところが、上記特開２００６−２０１６１号公報に示されるコネクタはカメラ本体から繰出されて、該コネクタが外部機器に接続されるとき、挿入力は必ず必要となる。この挿入力に抗してコネクタを繰出し状態を保持するための固定機構、係止機構等が必要となるが、上記特開２００６−２０１６１号公報にはこの機構に関し特に開示はない。また、このコネクタの繰り出し状態から繰り込みを行うときには、その固定機構、係止機構等の解除が必要であり、その操作はなるべく操作し易いものが望まれる。
【０００５】
本発明は、上述した点に鑑み、その目的とするところは、外部機器に接続されるコネクタを有する機器において、該コネクタを繰り込み状態から繰り出し状態に移行させる際には係止を容易に掛け、該コネクタを繰り出し状態から繰り込み状態に移行させる際に、該係止を容易に解除できる機構を有した機器を提供する。
【課題を解決するための手段】
【０００６】
上記目的を達成するために本発明は、外部接続用コネクタを有する機器において、押圧操作される操作釦と、上記操作釦を有し機器本体となる筐体と、上記操作釦が操作されることに連動して上記筐体中から繰出した接続準備位置と上記筐体中に繰込まれた収納位置とに移動可能なコネクタと、上記コネクタと連結し、上記操作釦の操作を受けて、第１の回転軸に関し第１の円弧角を有する第１の円弧線を描いて往復揺動を行うレバー部材と、  上記第１の円弧角の円弧線に沿うように該円弧線の円弧角より小さい第２の円弧角で形成された案内部と、上記レバー部材に掛けられ上記コネクタを上記収納位置へと付勢する付勢ばねと、上記レバー部材の揺動先端に、上記第１の回転軸と平行に設けられた第２の回転軸の軸周りに回転可能に設けられた回転部材であって、該第２の回転軸を挟んで一対の端部を有し、該端部それぞれには該第２の回転軸に関し点対称に形成された第１の凹状被係止部と第２の凹状被係止部とからなる一対の凹状の被係止部と、該第２の回転軸に関し点対称に形成され該第１の凹状の被係止部の片側に形成された第１の当接部と該第１の当接部に対し該第２の回転軸に関し点対称に形成された該第２の凹状の被係止部の片側に形成された第２の当接部とからなる一対の当接部とを有し、上記コネクタを上記接続準備位置に位置させる上記第１の円弧角内の第２の位置と、上記コネクタを上記収納位置に位置させる上記第１の円弧角内の該第２の位置と離間した第１の位置とに上記案内部に沿って移動させられる回転係止部材と、上記回転係止部材の上記第１の位置から上記第２の位置への方向の上記第２の位置から離間した上記第１の円弧線の延長上の位置に固定して設けられ、上記回転係止部材が上記第１の位置から上記第２の位置を超えて第３の位置へと移動したときに上記第１の当接部と当接し、上記回転係止部材に上記第２の回転軸周りの回転を一方向に与える第１の回転駆動当接部と、上記回転係止部材の上記第１の所定量の回転の後の上記操作釦への押圧操作の解除に連動して上記回転係止部材を上記第２の位置にて保持するため上記第３の位置から上記第２の位置への移動により上記回転係止部材をさらに上記一方向へさらに回転をさせながら上記第２の凹状被係止部と係合する固定されて設けられた係合維持部と、上記回転係止部材が上記第２の位置にて保持されている状態から上記操作釦が押圧操作されることに連動して上記第２の凹状被係止部と上記係合維持部との係合が解除され、上記回転係止部材が上記第２の位置から再び第１の回転駆動当接部の有る方向に移動させられたとき、第１の当接部と当接し、上記回転係止部材をさらに上記一方向に回転をさせて、上記回転係止部材が上記第１の回転駆動当接部と同時に当接する第２の回転駆動当接部と、を具備し、上記回転係止部材が上記第１の回転駆動当接部と上記第２の回転駆動当接部とに同時に当接した状態から上記操作釦の押圧操作の解除に連動して上記回転係止部材と上記係合維持部とが当接して、上記回転係止部材をさらに上記一方向に回転させ、上記回転係止部材を上記案内部と摺接させることを特徴とする。
【発明の効果】
【０００７】
本発明によれば、コネクタを機器内に繰込むとき及び繰出すときに、何らの意図的操作を必要とせずに、操作釦への動作のみでコネクタの係止状態を解除しコネクタの機器に対する繰り込み、繰込みを容易に行うことができるコネクタを有する機器を提供できる。
【図面の簡単な説明】
【０００８】
【図１】本発明の実施形態の外部接続用コネクタを繰込んだ機器の一部を破断し内部を観察できるようにした外観斜視図である。
【図２】本発明の実施形態の外部接続用コネクタを繰出した機器の一部を破断し内部を観察できるようにした外観斜視図である。
【図３】本発明の実施形態のコネクタを有する機器の分解斜視図である。
【図４】本発明の実施形態の外部接続用コネクタを有する機器の繰出しを説明するための図である。
【図５】本発明の実施形態の外部接続用コネクタを有する機器の繰出しを説明するための図である。
【図６】本発明の実施形態の外部接続用コネクタを有する機器の繰出しを説明するための図である。
【図７】本発明の実施形態の外部接続用コネクタを有する機器の繰出しを説明するための図である。
【図８】本発明の実施形態の外部接続用コネクタを有する機器の繰出しを説明するための図である。
【図９】本発明の実施形態の外部接続用コネクタを有する機器の繰出しを説明するための図である。
【図１０】本発明の実施形態の外部接続用コネクタを有する機器の繰込みを説明するための図である。
【図１１】本発明の実施形態の外部接続用コネクタを有する機器の繰込みを説明するための図である。
【図１２】本発明の実施形態の外部接続用コネクタを有する機器の繰込みを説明するための図である。
【図１３】本発明の実施形態の外部接続用コネクタを有する機器の繰込みを説明するための図である。
【発明を実施するための形態】
【０００９】
以下、図示の実施形態によって本発明を説明する。
【００１０】
本発明の実施形態の外部接続用コネクタを有する機器は例えば、デジタルカメラ、ボイスレコーダ等の様々な、データを通信できるものであればよく、本説明では説明を簡略化するためそれら装置、機器のコネクタに係わる部分のみを説明する。
【００１１】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１２】
本実施形態の構成を図１乃至図１３を用いて説明する。
【００１３】
図１は本発明の外部接続用コネクタを有する機器１（以下、単に機器と称する）である機器本体の一部を破断して示した外観斜視図を示す。図１は外部接続用のコネクタ（以下、単にコネクタと称す）が繰込まれていて外観には露呈していない状態を示す。外観である筐体となるケース１にはコネクタが外部に繰出される、及び繰込まれるための開口１ｃを有し、該コネクタの繰出し、繰込みを操作するための操作釦２がケース１の側方から突出している。一部破断して示した部分には主として揺動レバー５、回転係止部材６、引張りばね７などが示されている。
【００１４】
図２は本発明の外部接続用コネクタを有する機器である機器本体１の一部を破断して示した外観斜視図を示す。図２はコネクタが繰出されていて外観に露呈した状態を示す。この繰出状態では操作釦２は図１の突出状態より引っ込んでケース１より僅かに突出した状態となっている。一部破断して示した部分には図１の状態と異なり、揺動レバー５が引張りばね７を引っ張り、揺動し、回転係止部材６が係止状態であることが示されている。
【００１５】
図３は図１，図２で示す機器１の分解斜視図を示す。機器１は主ケース１Ａと副ケース１Ｂとで筐体が構成され、内部にコネクタを繰込み、繰出しするための構成部品を収納している。
【００１６】
主ケース１Ａは、合成樹脂からなり、主たる平面１ｒの四方を囲むように壁が構成されており、その壁の１つにはコネクタの移動方向と平行するように開口する操作釦用開口１ｃが設けられている。また別の壁にはコネクタが外部に露出するため、コネクタの移動方向と直交するように切り欠かれた切欠部１ｑが設けられている。上記主たる平面１ｒの内側表面の操作釦用開口１ｃの近傍には後述する操作釦２の移動を案内するため、操作釦用開口１ｃの口元から内部に向かってコネクタの移動方向と直交する方向に伸びる、直線状の一対のガイドリブ１ｄが互いに離間して設けられている。この一対のガイドリブ１ｄの間にはさらに後述する揺動レバーの揺動中心となる軸受穴１ｅが設けられている。この軸受穴１ｅから一定の半径Ｒ１で形成された内周壁面を有し、所定の角度である第２の円弧角θ２で円弧状の案内部（案内壁）１ｆが設けられている。
【００１７】
また、この案内部１ｆの一端から円弧線上の離間した位置には、回転係止部材が移動させられる円弧線上に、主たる平面１ｒから垂直に立ち上がる、略くの字状の凸壁が主ケース１Ａに設けられている。この凸壁は、コネクタの移動方向と平行に伸びた壁部である第１回転駆動当接部１ｇと、この第１回転駆動当接部１ｇの切欠部１ｑに近い一端部から、この第１回転駆動当接部１ｇの壁部に対し鈍角θに伸びた壁部である第２回転駆動当接部１ｈとで構成されている(図４参照)。また、円弧状の案内部（案内壁）１ｆと平行かつ、上記半径より内側の小さい半径上において円弧状の案内部（案内壁）１ｆの一端と第１回転駆動当接部１ｇ、第２回転駆動当接部１ｈとの間に位置して、主たる平面から垂直に突出した円弧状の案内部１ｆの周方向に短い壁であり、軸受穴１ｅから一定の半径Ｒ２で形成された外周壁面を有した係合維持部１ｉが設けられている。さらに、円弧状の案内部１ｆの主ケース１Ａの切欠部１ｑ側の一端部とは反対位置に在る他端近傍には後述の回転係止部材と係合する、主たる平面から垂直に立ち上がる壁部である停止部１ｐが設けられている。
【００１８】
主ケース１Ａの主たる平面１ｒにはこの平面から垂直に伸び、中心にねじを止めるための下穴である止め穴１ｊを有したボスを有している。さらに、主たる平面１ｒには操作釦開口を互いに挟むように並んで、副ケース１Ｂを主ケース１Ａと一体として組立るための貫通孔を有した一対のボスが設けられている。一方のボスの貫通孔を第１貫通孔１ｍ、他方の貫通孔を第２貫通孔１ｎとする。
【００１９】
さらに、主たる平面１ｒにはこの平面から垂直に伸び、第１貫通孔１ｍ、第２貫通孔１ｎと同様に設けられた貫通孔である第３貫通孔１ｋを有したボスが設けられている。
【００２０】
副ケース１Ｂは、主ケース１Ａに対する蓋部材の役目を果たし、合成樹脂材からなる略平板状に形成され、その内面には上記第１貫通孔１ｍ、上記第２貫通孔１ｎ、上記第３貫通孔１ｋに対応する位置にねじ止めのための不図示の下穴１ｓ、１ｔ、１ｕが設けられている。
【００２１】
操作釦２は釦本体２ａと釦板２ｂとから成り、ねじ２ｅにより組立一体化されている（図３参照）。釦本体２ａは合成樹脂などからなり直方体の形状を成し、操作者の押圧操作を受ける。釦板２ｂは金属材料、例えば鉄系の板材からなり、直角に曲げられたＬ字状の部材である。Ｌ字状の一面である板部分は釦本体２ａの一面とねじ２ｅで一体化のため締結され、釦本体２ａと接触していない部分の板部分２ｃは中央に操作釦２の移動方向と平行な逃げ溝２ｆが設けられている。さらに板部分２ｃには逃げ溝２ｆの途中に操作釦２の移動方向と垂直な方向に伸びた押圧溝２ｇが設けられている。
【００２２】
コネクタガイド３は後述するコネクタ４を機器１より繰出したり繰込んだりするためのガイド部材であり金属材からなる板状の部材からなる。そして本実施形態において、コネクトガイド３は、主ガイド板３Ａと、副ガイド板Ｂとから構成されている。主ガイド板３Ａは、後述するコネクタの厚み方向を摺動可能に押える長方形状の平板部（平面板部）３ａと、その長手方向の両側それぞれに、コネクタの幅方向に摺動可能に押えるための直角に曲げられた一対の側板部３ｂ、３ｃが、互いが対向するように一体となって構成される。側板部３ｂ、３ｃの間に後述のコネクタ４が挿入され摺動可能に収納される。従って主ガイド板３Ａはコネクタ４の移動方向に垂直な断面においてコの字状の断面を成すように形成されている。側板部３ｂ、３ｃそれぞれに、平板部３ａと平行に小さな庇状の小片部が１つずつ設けられ、これら小片部それぞれには１つずつ貫通孔３ｄ１と貫通孔３ｄ２が設けられている。さらに側板部それぞれには,後述する副ガイド板３Ｂと一体化するための係合部である小突起が互いにコネクタの移動方向に互いが離間して一対ずつ設けられている。これら小突起は側板部の平面を延長するように設けられている。そしてこの小突起それぞれにはコネクタの移動方向に平行に切込み３ｅが設けられている（図３参照）。従ってこれら切込みは４か所に設けられている。
【００２３】
副ガイド板３Ｂは、主ガイド板３Ａの平板部３ａと略同じ大きさの長方形の平面部３ｆである金属材からなる板状部材からなっている。副ガイド板３Ｂの長辺の１つには後述する揺動レバー５の揺動中心の軸を受ける軸受孔３ｎが設けられている。そしてこの軸受孔を中心として一定半径の円弧状の貫通溝である逃げ溝３ｈが所定角度で設けられている。平面部３ｆには、後述する引張りばね７の一端を掛けるばね掛け３ｇと、主ガイド板と一体固定するための庇状の一対の平面部に設けられた貫通孔３ｉ、３ｊと、さらにガイドケース３を主ケース１Ａに固定するための庇状の平面部分とこの庇状の平面部分が有する貫通孔３ｋとが設けられている。また貫通孔３ｊが設けられている庇状部分には、この庇部分を主ケース１Ａと副ケース１Ｂとで挟んでガイドケース３を固定するときのために貫通孔３ｐが設けられている（図３参照）。
【００２４】
上記３か所の庇状の平面部分はその形成のために、平板部３ａから僅かに平面方向に延長した張り出し部分３ｍ１，３ｍ２，３ｍ３が形成され、その張り出し部分先端それぞれから平板部３ａに対し垂直に立ち上がった曲げ部分を有し、さらにこれら曲げ部分の先端それぞれから平板部３ａと平行の庇状の平面部が形成されている。
【００２５】
またこれら張り出し部と同様に庇部を有しない張り出し部３ｍ４を平板部３ａに有している。
【００２６】
主ガイド板３Ａと副ガイド板Ｂとを一体化組立にするために、主ガイド板３Ａの４つの切込み３ｅに４つの上記張り出し部３ｍ１，３ｍ２，３ｍ３，３ｍ４を係合させる。
【００２７】
コネクタ４は、コネクタ支持部４ａとコネクタ部４ｂとが一体化された組立体である。コネクタ部４ｂは外部の電子機器と電気的に接続し情報データを入出力させる公知の部品であり、外部接続用コネクタとなる。
【００２８】
コネクタ支持部４ａは合成樹脂材料などからなり、コネクタ部を支持し、コネクタ部４ｂの移動方向に対し垂直な方向に彫られた溝である被駆動溝４ｃを有する。被駆動溝４ｃの途中にはこの溝から斜め方向に分岐するように彫られた溝である逆移動防止溝４ｄが設けられている。コネクタ４はコネクタガイド３中を移動し、機器１の外部にコネクタ部を露出させたり繰込みをさせたりする。
【００２９】
コネクタ４には図示していないフレキシブルプリント基板が接続されていて、機器１内の不図示の、例えば記憶回路等に電気回路に接続されている。
【００３０】
揺動レバー５は主ケース１Ａの軸受１ｅを中心として揺動する金属材料からなるレバー部材である。揺動レバー５は、略腕状に伸びた板状の部材であり、その一端部には揺動中心となるための揺動中心軸孔５ａが設けられている。両端それぞれに軸部を有する軸部材である揺動レバー軸ピン５ｇが、揺動中心軸孔５ａに揺動レバー５の表面と裏面の両面に軸部が突出するように加締られている。そしてその近傍にはこの揺動レバー５が揺動駆動されるための被駆動ピン５ｃが、揺動レバー５の一面（図２の紙面裏側）に突出するように加締られている。
【００３１】
揺動レバー５の他端部にはコネクタ４を移動駆動するためのコネクタ駆動ピン５ｄが揺動レバー５の他面側（図２の紙面表側）に突出するように加締られている。コネクタ駆動ピン５ｄの近傍には軸孔５ｂが設けられている。この軸孔５ｂに第２の回転軸としての回転係止部材軸ピン５ｆが揺動レバー５の一面（図２の紙面裏側）に加締られている。回転係止部材軸ピン５ｆの軸部は回転係止部材５ｆを回転可能に軸支している。
【００３２】
揺動レバーの腕の長さの中ほどには引張りばね７の他端が掛けられるようにばね掛け５ｅが設けられている。
【００３３】
このような構成のもとで、揺動レバー５は第１の円弧角θ１で第１の円弧線を描いて揺動が可能である。（図４参照）
回転係止部材６は、金属材料もしくは合成材料からなる板部材からなり略直方体に形成され回転係止部材軸ピン５ｆを中心に回転可能すなわち両方向に自転可能であり、揺動レバー５の揺動すなわち揺動レバー５の揺動中心軸に関し公転が可能となっている回転部材である。そして回転係止部材６はその長手方向の両端面には凹状の形状、より詳しくは回転係止部材軸ピン５ｆを挟むようにその板平面の垂直方向からみて略Ｖの字状の一対の凹部６ｃ、６ｄを有している。言い換えれば、該第２の回転軸を挟んで一対の端部を有し、該端部それぞれには該第２の回転軸に関し点対称に形成された第１の凹状被係止部６ｃと第２の凹状被係止部６ｄとからなる一対の凹状の被係止部を有している。
【００３４】
また、回転係止部材６は、直方体の角にあたる、第１の凹状の被係止部の片側外周端面にやや丸みを帯びて形成された第１の当接部と、第２の回転軸に関し第１の当接部６ａと点対称に第２の凹状の被係止部の片側外周端面にやや丸みを帯びて形成された第２の当接部６ｂとからなる一対の当接部とを有している(図４参照）。
【００３５】
なお、上記半径Ｒ１と上記半径Ｒ２は、直方体の回転係止部材の長手方向と直交する回転係止部材の幅寸法ｗに対し（Ｒ１−Ｒ２）＞ｗとなっている。
【００３６】
引張りばね７は、揺動レバー５を一方向に付勢するばねであり、本実施形態においてはコネクタ４を繰込む方向に付勢する。そのため引張りばね７の一端はばね掛け３ｇに掛けられ、引張りばね７の他端はばね掛け５ｅに掛けられる。
【００３７】
次に上記構成部品を元とする外部接続用コネクタを有する機器の組立について詳細に説明する。
【００３８】
初めに、操作釦２ａと釦板２ｂとをねじ２ｅにより締結して一体化させておく。このとき、釦板の板部分２ｃが釦本体から庇状に伸びるように取付けられる。
【００３９】
次に副ガイド板３Ｂのばね掛け３ｇが突出している面側から軸受孔３ｎに、揺動レバー５の揺動レバー軸ピン５ｇの一方を嵌入させ、副ガイド板３Ｂと揺動レバーとが自由に相対回転が可能なように加締る。このとき揺動レバー５の先端に加締られているコネクタ駆動ピン５ｄは、副ガイド板３Ｂの逃げ溝３ｈ中を移動可能なように逃げ溝３ｈに嵌入している。
【００４０】
次にコネクタ４を副ガイド板３Ｂに載置する。このとき、コネクタ部４ｂは、コネクタの移動方向に関し、すなわち副ガイド板３Ｂの長手方向において、ばね掛け３ｇ、コネクタ支持部４ａ、コネクタ部４ｂの順に並ぶように載置し、さらにコネクタ駆動ピン５ｄがコネクタ支持部の被駆動溝４ｃに嵌入させて載置する。
【００４１】
次に副ガイド板３Ｂと主ガイド板３Ａとを一体化させる。このとき、切込み３ｅがある４か所の小片部が張り出し部分３ｍ１，３ｍ２，３ｍ３、３ｍ４に当接せぬように副ガイド板３Ｂに対し主ガイド板３Ａを長手方向に僅かにずらしておいて、コネクタ４を覆うように主ガイド板３Ａを副ガイド板３Ｂに載置する。この載置の後に、主ガイド板３Ａを、副ガイド板３Ｂに対し長手方向にずらし、４か所の切込み３ｅの中に張り出し部分３ｍ１，３ｍ２，３ｍ３、３ｍ４を食い込ませる。その結果、副ガイド板３Ｂと主ガイド板３Ａとが一体化する。その後、この一体化が外れ無いようにねじ８ａを止め穴３ｄ１に貫通させ止め穴３ｉでねじ止めする。そしてさらにもう一つのねじ８ｂを止め穴３ｄ２に貫通させ止め穴３ｊでねじ止めする。
【００４２】
そして引張りばね７の一端をばね掛け３ｇに掛け、引張りばね７の他端をばね掛け５ｅに掛ける。
【００４３】
この結果、コネクタ４、揺動レバー５、回転係止部材６、引張りばね７を含んだ主ガイド板３Ａと副ガイド板３Ｂとは１つのユニットすなわちコネクタガイドユニットとして完成する。このコネクタガイドユニットはコネクタ４の略全体を、副ガイド板３Ｂと主ガイド板３Ａとで構成した内部空間内に常に収納するように付勢されている。
【００４４】
次に操作釦２とコネクタガイドユニットを主ケース１Ａ内に収納する順序を説明する。
【００４５】
主ケース１Ａの内面を上方に向けておき、釦板が組み付けられた操作釦２を主ケース１Ａの内面に載置する。操作釦２の釦本体２ａを操作釦開口中に挿入嵌合させる。釦板２ｂは一対のガイドリブ１ｄの間に載置する。このとき、釦板の逃げ溝２ｆから主ケース１Ａの主たる平面の軸受穴１ｅが見える。
【００４６】
次に揺動レバーが組み付けられているコネクタガイドユニットを、主ケース１Ａの内面上に載置する。このとき、揺動レバーの揺動レバー軸ピン５ｇの他方の軸部を主ケースの軸受に嵌合させる。そして、引張りばね７にさらに、僅かに付勢力を増すように図３中において揺動レバーを反時計方向に揺動変位させて回転係止部材の第１の凹状被係止部６ｃと第２の凹状被係止部６ｄのどちらか一方を主ケース１Ａの停止部１ｐと係合させ引張りばね７を僅かに引張った状態とする。ここでは以下の説明のため第２の凹状被係止部６ｄと停止部１ｐと係合させたとする。  さらに揺動レバーの被駆動ピン５ｃが釦板２ｃの押圧溝２ｇに嵌合するように操作釦２をコネクタ４の移動方向と直交する方向（図３中矢印Bで示す方向）に移動させる。
【００４７】
次にコネクタガイドユニットを主ケース１Ａの内面に固定するため、ねじ９を貫通孔３ｋに貫通させ主ケース１Ａの止め穴１ｊに螺合させる。
【００４８】
次に副ケース１Ｂを主ケース１Ａに被せ、ねじ１０を主ケースの第１貫通孔１ｋに貫通させ副ケース１Ｂの下穴１ｓ（不図示）に螺合させる。また、ねじ１１を主ケースの第２貫通孔１ｍと副ガイド板の止め穴３ｐに貫通させ副ケース１Ｂの下穴１ｔ（不図示）に螺合させる。さらに、ねじ１２を主ケースの第３貫通孔１ｎに貫通させ副ケース１Ｂの下穴１ｕ（不図示）に螺合させて機器１の組立は完成する。この完成状態ではコネクタ４は機器１内に繰込まれている。すなわち、コネクタ４は収納位置に有る。
【００４９】
次に機器１の作用、すなわち操作を図４乃至図１３を参照しながらコネクタ部４ｂの繰出し、繰込みを説明する。
【００５０】
始めに図４乃至図９を参照しコネクタ部４ｂが収納状態の収納位置から繰出され、繰出された接続準備位置までの遷移を説明する。
【００５１】
図４はコネクタ４が繰込まれた状態（収納状態）である。操作釦２は機器１から以下に説明する状態のなかで一番突出した状態でありコネクタ部４ｂは外観には露呈（露出）されていない。上述したように揺動レバー５の揺動先端には案内部１ｆと僅かの寸法の隙を有した回転係止部材６があり、引張りばね７が僅かに引張られた状態となって回転係止部材６の第２の凹状被係止部６ｄが停止部１ｐに係合し、第２の凹状被係止部６ｄと係合維持部１ｐとの係合状態が維持され回転係止部材軸ピン５ｆ周りに回転（自転）が制御されている。このとき、回転係止部材６の外周端面の一部が案内部６ｄに接触していても構わない。
【００５２】
図４の状態から図５中の矢印Ａで示す方向に操作釦２に対し操作者が押圧操作を加えると、引張りばね７の付勢力に抗して操作釦２の押圧溝２ｇが揺動レバー５の被駆動ピン５ｃを押圧し、揺動レバー５が図５中の矢印Ｂのように揺動レバー軸ピン５ｇを中心に時計方向に揺動（回転）する。そうすると回転係止部材５は案内部１ｆと摺接しながら案内部１ｆに沿って回転係止部材軸ピン５ｆ周りに回転（自転）しながら揺動レバー軸ピン５ｇを中心に公転し移動する。これに共ない、コネクタ４ｂが外部に繰出され露出され始める。
【００５３】
図５から更に操作釦２に対し操作者が押圧操作を加え続けると、図６に示す状態に移行（遷移）していく。図６において回転係止部材５は、案内部１ｆとの摺接から脱出し、係合維持部１ｉの側方へと位置する。これに共ない、コネクタ４ｂがさらに外部に繰出される（図６中矢印Ｃ）。この状態でも回転係止部材５は、係合維持部１ｉの側壁面で自転が規制制御され、回転係止部材５の第１の当接部６ａが第１回転駆動当接部１ｇの方向に向かって移動する。
【００５４】
図６から更に操作釦２に対し操作者が押圧操作を加え続けると、図７に示す状態となる。揺動レバー５がさらに揺動し回転係止部材６は公転し係合維持部１ｉの側壁面で案内されながら自転が規制制御され、回転係止部材６の第１の当接部６ａが第１回転駆動当接部１ｇと当接する。すると、この当接により回転係止部材６はやや図７中の矢印Ｄのように自転する。
【００５５】
そうして、操作釦２に対し操作者が押圧操作を加え続けると、図７から図８に示すように遷移する。図８に示す状態では回転係止部材６の第１の当接部６ａは、第１回転駆動当接部１ｇである壁と第２回転駆動当接部１ｈである壁との交点近傍に位置し、回転係止部材６は係合維持部１ｉの側壁面から離間した位置に位置する。このときコネクタ部４ｂはめいっぱいに外部に露出される。
【００５６】
図８に示す状態で、操作釦２に対する操作者の押圧操作を解除すると、引張りばね７の付勢力により、揺動レバー５が図８中の矢印Ｇが示すように反時計方向に僅かに揺動回転すると同時に操作釦２は僅かに外方に移動する（図８中の矢印Ｅ）。これと共に回転係止部材６の第２の凹状被係止部６ｄが係合維持部１ｉに当接し、回転係止部材６が僅かに自転し（図８中の矢印Ｆ）、第２の凹状被係止部６ｄと係合維持部１ｉとが係合して揺動レバー５は公転できずに揺動を停止する。なぜならば、回転係止部材６の第２の凹状被係止部６ｄを形成している２つの面からなるＶ字状の一方の面は主ケース１Ａに固定された係合維持部１ｉと当接して回転係止部材６を図中で反時計方向に自転させようとしているが、一方では、第２の凹状被係止部６ｄを形成している２つの面からなるＶ字状の他方の面が主ケース１Ａに固定された係合維持部１ｉと当接しているため、回転係止部材６を図中で反時計方向に自転させることができない。この自転をさせるためには係合維持部１ｉが揺動レバー軸ピン５ｇの有る方向に移動するか、回転係止部材軸ピン５ｆが揺動レバー軸ピン５ｇより遠のく方向に移動しなければならないが、係合維持部１ｉは固定され、回転係止部材軸ピン５ｆも公転の一定半径にあるため揺動レバー５の揺動回転も阻止されることになるからである。そして結果として図９に示す状態に遷移する。
【００５７】
図９の状態ではコネクタ部４ｂが外部に露出され、機器１のコネクタ部４ｂは外部機器のコネクタに接続挿入が可能になる。すなわち、コネクタ部４ｂにコネクタ部４ｂの繰込み移動方向に外力が掛っても係合維持部１ｉと第２の凹状被係止部６ｄとの係合により  コネクタ部４ｂが機器１の内部に繰込まれることはない。また、コネクタの繰込み方向に外力として大きな負荷がコネクタ部４ｂに対し掛けられたときでも、係合維持部１ｉと凹状被係止部６ｄ、６ｃとの係合の他に、コネクタ駆動ピン５ｄとコネクタ４の逆移動防止溝４ｄとが係合し、コネクタ４が無理やりに繰込まれることもない。当然、通常の操作ではコネクタ駆動ピン５ｄとコネクタ４の逆移動防止溝４ｄとが係合することはない。なぜならば、通常操作においては、コネクタ駆動ピンが被駆動溝４ｃ中を摺動するが、引張りばね７の作用により、被駆動溝４ｃの溝幅の方向において被駆動溝４ｃを形成する一対の面の内の、逆移動防止溝４ｄが被駆動溝４ｃから分岐する面と対向する反対の面を摺動するだけである。しかし、コネクタ４にコネクタ移動方向に大きな外力が加えられると、コネクタ駆動ピン５ｄは、被駆動溝４ｃを形成する一対の面の内の他方の面である逆移動防止溝４ｄが被駆動溝４ｃから分岐する面側に対し摺動するのでコネクタ駆動ピン５ｄが被駆動溝４ｃから逆移動防止溝４ｄに係合するからである。
【００５８】
また、この逆移動防止溝４ｄの存在により、コネクタ４に対する大きな外力負荷を分散し係合維持部１ｉの破損防止効果も得られることになる。このときコネクタ駆動ピン５ｄは、必ずしも、ピン径の全部が逆移動防止溝４ｄに嵌入しなくともよく、僅かに逆移動防止溝４ｄに掛るだけでも力の分散化が図れ、回転係止部材６が係合している係合維持部１ｉの撓みを軽減する。
【００５９】
次に図９乃至図１３を参照しコネクタ部４ｂが繰出状態である接続準備位置から機器１内に繰込まれる収納位置への遷移を説明する。
【００６０】
図９の状態から操作釦２に図９中矢印Ｈに示すように押圧力を掛けると、操作釦２は引張りばね７の付勢力に抗して僅かに機器１の中に変位する。これに共ない、揺動レバー５は僅かに図９中矢印Ｉに示す時計方向に揺動し、コネクタ部４ｂも僅かに、機器外部方向に変位する。
【００６１】
すると、図１０に示す状態に遷移する。すなわち、揺動レバー５が図中矢印Ｋ方向に僅かに揺動変位している最中に回転係止部材６の第１の当接部６ａが第２回転駆動当接部１ｈに当接し、図中矢印Ｌの示す反時計方向に自転する。そして図１１に示す状態となり、回転係止部材６が第１回転駆動当接部１ｇと第２回転駆動当接部１ｈとに当接し、その自転は停止させられ結果として揺動レバー５も図中矢印Ｋ方向への揺動も停止してしまう。つまりは操作釦２の変位も止められてしまう。尚、係合維持部１ｉと第１回転駆動当接部１ｇとの離間および、係合維持部１ｉと第２回転駆動当接部１ｈとの離間距離は、回転係止部材６が第１回転駆動当接部１ｇに当接して自転可能とする距離であり、回転係止部材６が第２回転駆動当接部１ｈに当接して自転可能とする距離である。
【００６２】
図１１の状態では操作釦２を操作者が押圧しても変位しないので、操作者は操作釦から指を離し押圧を解除することになる。そうすると、引張りばね７の付勢力により揺動レバー５が図１２中の矢印Ｎの反時計方向へ揺動回転する。そして回転係止部材６は公転し、第２の当接部６ｂが係合維持部１ｉと当接し図１２中矢印Ｑに示すように揺動レバー５の揺動に共ない反時計方向に自転させられる。コネクタ部４ｂも図１２中矢印Ｐに示すように機器１の内部に収納されるように移動する。  そうして図１２の状態と図１３の状態を経由し図４で示した状態、すなわちコネクタ部４ｂが機器１内に収納された状態となる。
【００６３】
図１３では引き続き揺動レバー５が図１３中の矢印Ｒ方向に揺動し、コネクタ部４ｂも繰込み方向（図中矢印Ｔ方向）に移動し、転係止部材６が係合維持部１ｉの側方を通過する。この通過終了直前に再び案内部１ｆである壁に案内されながら公転させられる。この案内部１ｆによって案内される回転係止部材６は、揺動レバー５に対する相対回転は阻止される。揺動レバー５の矢印Ｎ、Ｒ方向の揺動にともない押圧溝２ｇが被駆動ピン５ｃを押すので操作釦２も機器１の外部に突出する（図中矢印Ｓ方向）。尚、係合維持部１ｉと案内部１ｆとの離間距離は、揺動レバー５が反時計方向に揺動したときに、回転係止部材６が係合維持部１ｉと当接して反時計方向（図中矢印Ｑ方向）に自転が可能であり、かつ、回転係止部材の長手方向よりやや短い寸法である。
【００６４】
上述の通り、上記揺動レバー５、引張りばねを含み、回転係止部材６、第１回転駆動当接部１ｇ、第２回転駆動当接部１ｈ、係合維持部１ｉ、案内部１ｆは、操作釦の操作に連動してコネクタ部４ｂを含むコネクタ４を接続準備位置に保持すなわちラッチし、このラッチ状態から解除して収納位置へと移動させることができるラッチ機構と言うことができる。
【００６５】
以上説明したように、上記実施形態によれば、コネクタ部を機器内に繰込むとき及び繰出すときに、何らの意図的操作を必要とせずに、操作釦への動作のみでコネクタの係止状態を解除しコネクタの機器に対する繰り込み、繰込みを容易に行うことができるコネクタを有する機器を提供できる。
【００６６】
さらに上記実施形態によれば、コネクタが機器外に繰出された状態で係止が行われた状態なので、コネクタに不容易な外力が加わったとしても意図せずコネクタが機器内に繰込んでしまうことはなく、他の機器への確実な接続を行うことができる。
【００６７】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００６８】
１・・・ケース、１Ａ・・・主ケース（案内壁の有る方）、１Ｂ・・・副ケース、
１ｃ・・・操作釦用開口、１ｄ・・・ガイドリブ、１ｅ・・・軸受穴、
１ｆ・・・案内部（案内壁）、１ｇ・・・第１回転駆動当接部、１ｈ・・・第２回転駆動当接部、１ｉ・・・係合維持部、１ｊ・・・止め穴、１ｋ・・・第１貫通孔、
１ｍ・・・第2貫通孔、１ｎ・・・第３貫通孔、１ｐ・・・停止部、１ｑ・・・切欠部、
１ｒ・・・主たる平面、１ｓ・・・下穴（不図示）、１ｔ・・・下穴（不図示）、
１ｕ・・・下穴（不図示）、
２・・・操作釦（操作釦組、押圧釦組）、２ａ・・・釦本体、２ｂ・・・釦板、
２ｃ・・・折曲部、２ｅ・・・ねじ、２ｆ・・・逃げ溝、２ｇ・・・押圧溝、
３・・・コネクタガイド、３Ａ・・・主ガイド板、３Ｂ・・・副ガイド板、
３a・・・平板部、３b・・・側板部、３c・・・側板部、３d・・・止め孔、
３ｅ・・・切込み、３ｆ・・・平面部、３ｇ・・・ばね掛け、３ｈ・・・逃げ溝、
３ｉ・・・止め孔、３ｊ・・・止め孔、３ｋ・・・止め孔、
３ｍ１・・・止め板部、３ｍ２・・・止め板部、３ｍ３・・・止め板部、
３ｎ・・・軸受孔、３ｐ・・・止め穴、
４・・・コネクタ組（ＵＳＢコネクタ、コネクタ）、４ａ・・・コネクタ支持部、
４ｂ・・・コネクタ部、４ｃ・・・被駆動溝、４ｄ・・・逆移動防止溝、
５・・・揺動レバー、５a・・・揺動中心軸孔（回転中心軸孔）、５ｂ・・・軸孔、
５ｃ・・・被駆動ピン、５ｄ・・・コネクタ駆動ピン、５ｅ・・・ばね掛け、
５ｆ・・・回転係止部材軸ピン、５ｇ・・・揺動レバー軸ピン、
６・・・回転係止部材、６a・・・第１の当接部、６ｂ・・・第2の当接部、
６ｃ・・・第１の凹状被係止部、６ｄ・・・第２の凹状被係止部、
７・・・引張りばね、
８・・・ガイド止めねじ、
９・・・ガイド止めねじ、
１０・・・本体止めねじ、
１１・・・共締め本体止めねじ、
１２・・・本体止めねじ
【図１】
2015046270.tif 000003
【図２】
2015046270.tif 000004
【図３】
2015046270.tif 000005
【図４】
2015046270.tif 000006
【図５】
2015046270.tif 000007
【図６】
2015046270.tif 000008
【図７】
2015046270.tif 000009
【図８】
2015046270.tif 000010
【図９】
2015046270.tif 000011
【図１０】
2015046270.tif 000012
【図１１】
2015046270.tif 000013
【図１２】
2015046270.tif 000014
【図１３】
2015046270.tif 000015